(57)【特許請求の範囲】
【請求項１】
シャフトの先部に所望長さ間隔毎に釣り針を固着してなるヤエンの収納容器であって、上記全ての釣り針を収納可能な容器本体とこの容器本体を開閉自在に閉止する蓋体とからなり、上記収納容器本体は、仕切り壁によって上記ヤエンにおける最先端の針を収納可能な第一収納部と、上記最先端側の針を除いた残余の針を全て収納可能な第二収納部とに区画、形成されており、更に、上記仕切り壁には上記ヤエンのシャフトを挿通するためのスリット部が形成され且つ上記仕切り壁に上記最先端の針を係止させるように構成していることを特徴とするヤエン収納容器。
【請求項２】
蓋体の内面にシャフト押圧片を内方に向かって突設し、このシャフト押圧片と仕切り壁のスリット部の内底面とによってヤエンのシャフトを挟持可能に構成していることを特徴とする請求項１に記載のヤエン収納容器。
【請求項３】
容器本体を蓋体によって閉止した状態において、上記蓋体のシャフト押圧片が仕切り壁の背面側に対向する位置に設けていることを特徴とする請求項１又は請求項２に記載のヤエン収納容器。
【請求項４】
スリット部が容器本体の内底面近傍部に達した状態に形成されていることを特徴とする請求項１乃至請求項３の何れか１項に記載のヤエン収納容器。
【発明の詳細な説明】
【０００１】
【発明の属する技術分野】
本発明は、イカ釣り用として使用するヤエンを簡単に且つ確実に収納することができるヤエン収納容器に関する。
【０００２】
【従来の技術】
従来からイカを釣るのにヤエンが用いられている。このヤエンＣは、図２に示したように、一定長さを有するシャフトC1の先部に複数個の釣り針C21 、C22 、C23 ・・・がシャフトC1の長さ方向に所望間隔毎に同一方向に突出した状態に一体的に設けられてなる。
【０００３】
そして、上記ヤエンＣを釣り場に携行するに際しては、釣り針が危険であるので、このヤエンＣの釣り針を全て被覆した状態にして携行するのであるが、その方法としては、上記ヤエンＣをヤエンＣ全体が収納可能な有底筒状ケースに収納するか、或いは、図４に示したような一つの釣り針を被覆可能な大きさに形成された一対の収納分割体B1、B2をヒンジ部B3を介して互いに開閉自在に連結したヤエン収納容器Ｂを用い、このヤエン収納容器Ｂで図５に示したように一つ一つの釣り針を被覆していた。
【０００４】
しかしながら、上記有底筒状ケースを用いた場合には、有底筒状ケースが嵩張り携行に不便をきたし、或いは、多くの種類のヤエンＣを携行できなかったりするといった問題点が発生する。
【０００５】
そこで、一つの有底筒状ケースに複数個のヤエンＣを収納することも考えられるが、一つの有底筒状ケースに複数個のヤエンＣを収納すると、ヤエンＣの釣り針同士が絡まり、一つのヤエンＣのみを有底筒状ケースから取り出すのが困難となるといった別の問題が生じる。
【０００６】
又、図４に示したようなヤエン収納容器を用いた場合には上記の如き問題点は発生しないが、一つ一つのヤエンＣの釣り針をヤエン収納容器で被覆するのは面倒であり、その上、使用に際しては全てのヤエン収納容器を一つ一つ取り外さなければならないといった問題点があった。
【０００７】
【発明が解決しようとする課題】
本発明は、ヤエンの全ての釣り針をワンタッチでしかも嵩張ることなく被覆、収納することができるヤエン収納容器を提供する。
【０００８】
【課題を解決するための手段】
請求項１に記載のヤエン収納容器は、シャフトの先部に所望長さ間隔毎に釣り針を固着してなるヤエンの収納容器であって、上記全ての釣り針を収納可能な容器本体とこの容器本体を開閉自在に閉止する蓋体とからなり、上記収納容器本体は、仕切り壁によって上記ヤエンにおける最先端の針を収納可能な第一収納部と、上記最先端側の針を除いた残余の針を全て収納可能な第二収納部とに区画、形成されており、更に、上記仕切り壁には上記ヤエンのシャフトを挿通するためのスリット部が形成され且つ上記仕切り壁に上記最先端の針を係止させるように構成していることを特徴とする。
【０００９】
又、請求項２に記載のヤエン収納容器は、請求項１に記載のヤエン収納容器において、蓋体の内面にシャフト押圧片を内方に向かって突設し、このシャフト押圧片と仕切り壁のスリット部の内底面とによってヤエンのシャフトを挟持可能に構成していることを特徴とする。
【００１０】
そして、請求項３に記載のヤエン収納容器は、請求項１又は請求項２に記載のヤエン収納容器であって、容器本体を蓋体によって閉止した状態において、上記蓋体のシャフト押圧片が仕切り壁の背面側に対向する位置に設けていることを特徴とする。
【００１１】
最後に、請求項４に記載のヤエン収納容器は、請求項１乃至請求項３の何れか１項に記載のヤエン収納容器において、スリット部が容器本体の内底面近傍部に達した状態に形成されていることを特徴とする。
【００１２】
【作用】
本発明のヤエン収納容器の使用要領について説明する。先ず、ヤエンに取り付けている複数の釣り針のうちの最先端の釣り針を容器本体の第一収納部に、この最先端側の釣り針以外の残余の釣り針を容器本体の第二収納部に収納するとともに、これらの釣り針を取り付けているヤエンのシャフトの先部を仕切り壁のスリット部に収納する。しかる後、上記容器本体を蓋体によって開閉自在に閉止して上記ヤエンを上記ヤエン収納容器内に収納する。この状態にすると、釣り針を取り付けている先部以外のヤエンの基部側が容器本体の基端から外部に突出した状態となる。
【００１３】
ここで、ヤエンのシャフトの先部に固着された釣り針間の間隔は、各種ヤエン毎に異なるが、本発明のヤエン収納容器は、ヤエンの最先端の釣り針のみを第一収納部に収納する一方、上記最先端の釣り針以外の残余の釣り針は一括して第二収納部に収納するように構成されているので、隣接する釣り針間の間隔の広狭に関わらず、様々な釣り針間隔を有する各種ヤエンの全ての釣り針を上記容器本体内に安定的に且つ確実に収納することができる。
【００１４】
しかも、上記ヤエン収納容器は、上記ヤエンの最先端の釣り針を上記容器本体の仕切り壁に係止させるように構成しているので、ヤエン収納容器がそれに収納しているヤエンのシャフトに沿って変位するといった不測の事態は発生せず、よって、各種ヤエンをその複数個ある釣り針の全てを被覆した状態に安定的に且つ確実に収納することができる。
【００１５】
次いで、使用に際しては、容器本体の蓋体を開いた後、容器本体の基端から外部に突出しているヤエンの基部側を把持してヤエンの先部を容器本体の開放端に向かって持ち上げることにより全ての釣り針を容器本体から離脱させることができる。
【００１６】
【発明の実施の形態】
本発明のヤエン収納容器の一例を図面を参照しつつ説明する。ヤエン収納容器Ａの容器本体１は、図１に示したように、平面横長長方形状の底面部11とこの底面部11の外周縁から全周に亘って上方に向かって突設された周壁部12とからなり、上記底面部11内面と上記周壁部12内面とで囲まれた空間部をヤエン収納空間部13とし、該ヤエン収納空間部13内にヤエンＣのシャフトC1の先部に固着された全ての釣り針C21 、C22 、C23 を収納可能に構成している。
【００１７】
なお、上記ヤエンＣは、図２及び図３に示したように、一定長さを有するシャフトC1の先部に複数個の釣り針C21 、C22 、C23 ・・・（以下、釣り針の個数が３個の場合について説明する。）がシャフトC1の長さ方向に所望間隔毎に全ての針先を基端側に向けて斜め上方に突出した状態に固着されている。
【００１８】
そして、上記ヤエン収納空間部13は、その先端側部において該ヤエン収納空間部13の先端から一つの釣り針が収納可能な間隔を存して上記ヤエン収納空間部13内に固着している一定厚みを有する仕切り壁14によって第一収納部131 と第二収納部132 とに長さ方向に完全に区画、形成されており、上記第一収納部131 は上記ヤエンＣの最先端の釣り針C21 のみを収納可能な大きさに形成されている一方、上記第二収納部132 は上記最先端の釣り針C21 を除いた残余の釣り針C22 、C23 の全てを収納可能な大きさに形成されている。
【００１９】
又、上記仕切り壁14の幅方向の中央部には、上記ヤエンＣのシャフトC1の太さよりも若干広い幅を有するスリット部141 が上記仕切り壁14の上端面に開口し且つ上記容器本体１の底面部11の内面近傍に達し、更に、上記仕切り壁14の両面間に亘って貫通した状態に凹設されている。
【００２０】
更に、上記容器本体１の基端周壁部121 の中央部には、上記ヤエンＣのシャフトC1の太さよりも若干広い幅を有するスリット部121aが上記周壁部12の上端面に開口し且つ上記容器本体１の底面部11の内面近傍に達し、更に、上記周壁部12の内外面間に亘って貫通した状態に凹設されている。
【００２１】
一方、上記容器本体１のヤエン収納空間部13は、蓋体２によって開閉自在に閉止される。即ち、上記蓋体２は、長さが上記容器本体１の長さに合致し且つ幅が上記容器本体１の幅に合致した平面横長長方形状で且つ断面略半円形状のドーム型に形成されている。
【００２２】
そして、上記蓋体２と上記容器本体１における対向する開口側端縁同士をヒンジ部３、３を介して開閉自在に連結しており、上記蓋体２を上記容器本体１に開閉自在に上方から被せると上記蓋体２の開口端面と上記容器本体１の開口端面とが合致して上記容器本体１のヤエン収納空間部13が閉止されるように構成されている。
【００２３】
又、上記蓋体２の内面における上記容器本体１の仕切り壁14の背面側（容器本体１の基端側）に対向した部分には、第一シャフト押圧片21が上記蓋体２の開口端面よりも下方に突出した状態に突設されている。
【００２４】
そして、上記シャフト押圧片21は、上記蓋体２で上記容器本体１のヤエン収納空間部13を閉止した状態では、上記第二収納部132 内において、上記仕切り壁14のスリット部141 に近接状態に対向し、上記第一シャフト押圧片21の下端面と上記仕切り壁14のスリット部141 の内底面とによって上記スリット部141 内に挿通、収納したヤエンＣのシャフトC1部分を挟持して、上記ヤエンＣが上記容器本体１のヤエン収納空間部13内において上下方向に妄動するのを防止している。
【００２５】
又、上記蓋体２の基端内面における上記容器本体１の基端周壁部121 に設けているスリット部121aに対向した部分には、第二シャフト押圧片22が上記蓋体２の開口端面よりも下方に突出した状態に突設されている。
【００２６】
そして、上記第二シャフト押圧片22は、上記蓋体２で上記容器本体１のヤエン収納空間部13を閉止した状態では、上記第二収納部132 内において、上記容器本体１の基端周壁部121 のスリット部121aに近接状態に対向し、上記第二シャフト押圧片22の下端面と上記スリット部121aの内底面とによって上記スリット部121a内に挿通、収納したヤエンＣのシャフトC1部分を挟持して、上記ヤエンＣが上記容器本体１のヤエン収納空間部13内において上下方向に妄動するのを防止している。
【００２７】
次に、上記ヤエン収納容器Ａの使用要領について説明する。先ず、上記ヤエン収納容器Ａ内にヤエンＣの先部に取り付けている複数の釣り針C21 、C22 、C23 を収納するには、図２に示したように、上記蓋体２を開放した後、ヤエンＣの先部を上記ヤエン収納容器Ａの容器本体１におけるヤエン収納空間部13の開口端から該ヤエン収納空間部13内に向かって落とし込むように挿入する。この際、ヤエンの最先端に取り付けている釣り針C21 を上記第一収納部131 上に、その他の全ての釣り針C22 、C23 を上記第二収納部132 上に位置させ、しかる後、ヤエンＣの先部を上記ヤエン収納空間部13内に収めることによって、ヤエンＣの最先端の釣り針C21 を上記容器本体１の第一収納部131 に、上記最先端側の釣り針C21 以外の残余の釣り針C22 、C23 を上記第二収納部132 に収納する。このように、ヤエンＣの先部を上記ヤエン収納空間部13内に収納すると、該ヤエンＣの最先端の釣り針C21 とこれに隣接する釣り針C22 間のシャフトC1部分が上記仕切り壁14のスリット部141 に挿通した状態に嵌まり込むとともに最も基端側の釣り針C23 よりも基端側に位置するシャフトC1部分が上記スリット部121aを通じて外方に向かって突出した状態となる。
【００２８】
このように、ヤエンＣの先部に取り付けている最先端の釣り針C21 を上記第一収納部131 に収納するとともに上記最先端の釣り針C21 以外の釣り針C22 、C23 を纏めて上記第二収納部132 に収納しているので、隣接する釣り針間の間隔の広狭に関わらず、様々な釣り針間の間隔を有する各種ヤエンの釣り針C21 、C22 、C23 の全てを上記ヤエン収納空間部13内に安定的に且つ確実に収納することができる。
【００２９】
しかる後、上記容器本体１のヤエン収納空間部13を上記蓋体２で閉止する。すると、図３に示したように、上記第一シャフト押圧片21の下端面と上記仕切り壁14のスリット部141 の内底面とによって上記ヤエンＣの最先端の釣り針C21 とこれに隣接する釣り針C22 間のシャフトC1部分が上下方向から強固に挟持されるとともに、上記第二シャフト押圧片22の下端面と上記スリット部121aの内底面とによって上記ヤエンＣの釣り針C23 の基端側のシャフトC1部分が上下方向から強固に挟持され、上記ヤエンＣは、その釣り針C21 、C22 、C23 が上記容器本体１のヤエン収納空間部13内に安定した状態に収納される。
【００３０】
しかも、上記仕切り壁14のスリット部141 と上記容器本体１の基端周壁部121 のスリット部121aは、その下端内底面が上記容器本体１の底面部11内面の近傍に達していることから、シャフトC1が上記スリット部141 、121aに挿通、収納されているヤエンＣは、上記ヤエン収納空間部13内において、そのシャフトC1を上記容器本体1 の底面部11内面に近接させ且つその釣り針C21 、C22 、C23 の下側平坦面の一部を上記容器本体１の底面部11内面に当接させた状態に収納されている。
【００３１】
従って、上記ヤエンＣの釣り針C21 、C22 、C23 は、そのシャフトC1回りに不測に回転することなく上記ヤエン収納空間部13内に安定的に収納されている。しかも、上記ヤエンＣは、その最先端の釣り針C21 が上記容器本体１の仕切り壁14の背面に係止した状態に上記第一収納部131 内に収納されていることから、上記ヤエン収納容器Ａが上記ヤエンＣのシャフトC1の長さ方向に不測に変位するといったことはなく、上記ヤエンＣの釣り針C21 、C22 、C23 の全てを上記ヤエン収納容器Ａ内に安定的に且つ確実に収納しておくことができる。
【００３２】
このように、ヤエンＣの先部に取り付けている複数の釣り針C21 、C22 、C23 を上記ヤエン収納容器Ａ内に収納した状態において、上記ヤエン収納容器Ａの基端側から突出しているヤエンＣの基部を把持してヤエンＣを持ち上げると、ヤエンＣの最先端に取り付けている第一収納部131 内の釣り針C21 が仕切り壁14に当接して、それ以上の移動が阻止され、上記ヤエンＣと一体に上記ヤエン収納容器Ａを取り出すことができる。
【００３３】
次いで、使用に際しては、容器本体１の蓋体２を開いた後、容器本体１の基端から外部に突出しているヤエンＣの基部側を把持してヤエンＣの先部を容器本体１の開放端に向かって持ち上げることにより全ての釣り針C21 、C22 、C23 を容器本体１から簡単に且つ確実に離脱させることができる。
【００３４】
【発明の効果】
請求項１に記載のヤエン収納容器は、シャフトの先部に所望長さ間隔毎に釣り針を固着してなるヤエンの収納容器であって、上記全ての釣り針を収納可能な容器本体とこの容器本体を開閉自在に閉止する蓋体とからなり、上記収納容器本体は、仕切り壁によって上記ヤエンにおける最先端の針を収納可能な第一収納部と、上記最先端側の針を除いた残余の針を全て収納可能な第二収納部とに区画、形成されており、更に、上記仕切り壁には上記ヤエンのシャフトを挿通するためのスリット部が形成され且つ上記仕切り壁の先端面に上記最先端の針を係止させるように構成していることを特徴とするので、ヤエンの最先端の釣り針を第一収納部に収納する一方、上記最先端の釣り針以外の残余の釣り針は一括して第二収納部に収納することができ、よって、隣接する釣り針間の間隔の広狭に関わらず、様々な釣り針間の間隔を有する各種ヤエンの釣り針の全てを上記容器本体内に安定的に且つ確実に収納することができる。
【００３５】
しかも、上記ヤエン収納容器は、上記ヤエンの最先端の釣り針を上記容器本体の仕切り壁に係止させるように構成しているので、ヤエン収納容器がそれに収納しているヤエンのシャフトに沿って変位するといった不測の事態は発生せず、よって、上記ヤエン収納容器によれば、各種ヤエンをその複数個ある釣り針の全てを被覆した状態に安定的に且つ確実に収納することができる。
【００３６】
又、請求項２に記載のヤエン収納容器は、請求項１に記載のヤエン収納容器において、蓋体の内面にシャフト押圧片を内方に向かって突設し、このシャフト押圧片と仕切り壁のスリット部の内底面とによってヤエンのシャフトを挟持可能に構成していることを特徴とするので、ヤエンが容器本体内において不測に妄動するといったことはなく安定した状態にヤエンを収納することができる。
【００３７】
そして、請求項３に記載のヤエン収納容器は、請求項１又は請求項２に記載のヤエン収納容器であって、容器本体を蓋体によって閉止した状態において、上記蓋体のシャフト押圧片が仕切り壁の背面側に対向する位置に設けていることを特徴とするが、ヤエンの釣り針を容器本体内に収納した状態において、上記第二収納部内における仕切り壁の近傍部には、ヤエンの隣接する釣り針間の間隔の広狭に関わらず、ヤエンの釣り針が位置することはなく、よって、上記容器本体を蓋体によって閉止した状態において、上記シャフト押圧片は釣り針に不測に衝突したりすることなく上記ヤエンのシャフトを確実に押圧する。
【００３８】
従って、上記ヤエンは、そのシャフトが上記容器本体内において上記シャフト押圧片と上記スリット部の内底面とによって確実に挟持、固定され、容器本体内において不測に妄動したりすることなく安定した状態に収納、保持される。
【００３９】
最後に、請求項４に記載のヤエン収納容器は、請求項１乃至請求項３の何れか１項に記載のヤエン収納容器において、スリット部が容器本体の内底面近傍部に達した状態に形成されていることを特徴とするので、ヤエンをその釣り針の下側平坦面の一部が容器本体の内底面に当接した安定した状態に容器本体内に収納することができ、よって、上記ヤエンを上記容器本体内においてそのシャフト回りに不測に回転させることなく安定的に収納することができる。
【図面の簡単な説明】
【図１】本発明のヤエン収納容器を示した斜視図である。
【図２】図１のヤエン収納容器の使用状態を示した平面図である。
【図３】図１のヤエン収納容器の使用状態を示した縦断面図である。
【図４】従来のヤエン収納容器を示した斜視図である。
【図５】従来のヤエン収納容器の使用状態を示した縦断面図である。
【符号の説明】
１  容器本体
121aスリット部
13  ヤエン収納空間部
131 第一収納部
132 第二収納部
14  仕切り壁
141 スリット部
２  蓋体
21  第一シャフト押圧片
22  第二シャフト押圧片
Ｃ  ヤエン
C1  シャフト
C21 、C22 、C23 釣り針
【図１】
0004342717.tif 000002
【図２】
0004342717.tif 000003
【図３】
0004342717.tif 000004
【図４】
0004342717.tif 000005
【図５】
0004342717.tif 000006